(57)【要約】      （修正有）【課題】フルコーン噴射と直射の切り替えが可能で、フルコーン噴射、直射ともに噴射距離を大きくすることが可能なハンドガンタイプの液体噴射装置を提供する。【解決手段】液体噴射装置１の先端に設けるノズル１１を、ノブ７と、弁軸８の先端の中子１２と、中子の先端の弁部１３を接離させる弁座１４と前方の噴口ピース１５と、押え部材１６を介して噴口ピース１５を本体２に固定するトップカバー１７を組合せ、ノブ７の回転操作で本体２に螺合した弁軸８が進退して弁部１３が弁座１４に接触した状態と弁座１４から離反した状態を切替え、弁部１３が弁座１４に接触した位置で中子の螺旋溝１２ｂが噴口ピースの流入口１５ａに連通したときに噴口ピースの噴孔１５ｂからフルコーン状の噴射がなされ、弁部１３が弁座１４から離反した状態のときには、噴孔１５ｂからの噴射が直射となる。【選択図】図２
2016168531.tif 000002
【特許請求の範囲】
【請求項１】
把持部（２ａ）を有する本体（２）と、その本体に取り付けたレバー（４）と、そのレバーを初期位置に戻す復帰スプリング（５）と、本体の先端に装着されるノズル（１１）と、前記レバーの操作によって本体内の液体供給路（１０）を開閉する開閉弁（６）を備えるハンドガンタイプの液体噴射装置であって、
回転操作用のノブ（７）を後端に、本体に螺合させる雄ねじ部（８ａ）を長手途中にそれぞれ有し、先端側が前記開閉弁（６）よりもノズル側の本体内液体供給路に挿入される弁軸（８）を具備し、
前記ノズル（１１）が、前記弁軸（８）の先端に設けられる中子（１２）と、その中子の先端に設けられる先細テーパ状の弁部（１３）を接離させる弁座（１４）と、その弁座の前方に配置される、先細テーパ状の流入口（１５ａ）とその流入口から前面に貫通するストレート形状の噴孔（１５ｂ）を備えた噴口ピース（１５）と、押え部材（１６）を介して前記噴口ピース（１５）を前記本体（２）に固定するトップカバー（１７）を組み合わせて構成され、
前記中子（１２）は、後部外周から先端中心に貫通して至る液体通路（１２ａ）を中心部に、後部から前記弁部（１３）に至る螺旋溝（１２ｂ）を外周にそれぞれ有し、
前記ノブ（７）の回転操作により前記弁部（１３）が前記弁座（１４）に接触した状態と弁座（１４）から所定距離離反した状態の切り替えがなされ、前記弁部（１３）が前記弁座（１４）に接触した位置で前記螺旋溝（１２ｂ）が前記流入口（１５ａ）に連通し、この状態で前記レバー（４）を操作して前記開閉弁（６）を開弁させたときに前記噴孔（１５ｂ）からフルコーン状の噴射がなされ、前記弁部（１３）が前記弁座（１４）から所定距離離反した状態で前記レバー（４）を操作して前記開閉弁（６）を開弁させたときには前記噴孔（１５ｂ）からの噴射が直射となるように構成された液体噴射装置。
【請求項２】
前記レバー（４）を引き込み終点に保持する保持の解除が可能なロック機構（９）を具備した請求項１に記載の液体噴射装置。
【請求項３】
前記ロック機構（９）を、前記本体（２）に設ける係止用凹部（９ａ）と、前記レバー（４）に設ける係止爪（９ｂ）と、その係止爪を係止方向に付勢して前記レバー（４）の引き込み終点で前記係止用凹部（９ａ）に係止させるばね（９ｃ）と、そのばねの力に抗して前記係止爪（９ｂ）を前記係止用凹部（９ａ）から外すロック解除カム（９ｄ）とで構成した請求項２に記載の液体噴射装置。
【発明の詳細な説明】
【技術分野】
【０００１】
この発明は、フルコーンノズルを有する片手操作の可能なハンドガンタイプの液体噴射装置、詳しくは、フルコーン状噴射（以下ではフルコーン噴射と言う）と、直射の切り替えを可能にした液体噴射装置に関する。
【背景技術】
【０００２】
既知のハンドガンタイプの液体噴射装置として、例えば、下記特許文献１、２に記載されたものなどが知られている。
【０００３】
特許文献１の液体噴射装置は、本出願人が開発したものであって、レバー（引き金）の操作量が大きくなるにつれてフルコーン噴射（円形全面噴射）の噴射角が段々と小さくなり、ついには噴射パターンがフルコーン噴射から液体が広がらずに噴出する直射に切り替わる。
【０００４】
また、特許文献２の装置（消化用放水ノズル）は、放水筒本体の先端外周に螺合させた操作筒を回転させてその操作筒を放水筒本体側に移動させる。すると、放水筒本体に固定されたデフレクタと操作筒に設けた弁座との間の通路が開き、操作の初期にホロコーン状（円筒状）の噴射がなされる。
【０００５】
その後引き続いて操作筒を回転させると、デフレクタに設けた中央噴射口の流入口が開いて中央噴射口からホロコーンの内側にも水が噴射されて噴射パターンがフルコーン噴射に変化する。
【先行技術文献】
【特許文献】
【０００６】
【特許文献１】特開２０１３−１３６０４３号公報
【特許文献２】特開２００６−２８８８７１号公報
【発明の概要】
【発明が解決しようとする課題】
【０００７】
上記特許文献１の液体噴射装置は、一連のレバー操作によってフルコーン噴射の噴射角を変化させ、フルコーン噴射を最終的には直射に変化させることができる。
【０００８】
しかしながら、レバーの操作量に応じて噴射パターンを変化させる特許文献１の液体噴射装置は、フルコーン噴射、直射のどちらのパターンの噴射についても、噴射距離を大きくするのが難しい。
【０００９】
特許文献１の液体噴射装置におけるフルコーン噴射は、整流中子の中心に流すストレート流とストレート流の周囲（整流中子の外周）に流す渦流の組み合わせによって作り出される。
【００１０】
具体的には、開閉弁による液体供給路が開かれたときには、弁体が弁座に接している状態でもノズル中心の孔と整流中子の外周の通路にそれぞれ液体が流れようにしてあり、これによりフルコーン噴射がなされる。
【００１１】
また、レバーの引き込み量が所定値を超えると弁体が後退して弁座から離反し、その離反量が大きくなるにつれてストレート流の流量が増し、渦流の流量は減少してフルコーン噴射の噴射角が次第に小さくなっていく。
【００１２】
そのような構造であるため、レバー操作の初期に整流中子の内、外周に流す液体の量を多く確保するのが難しい。
【００１３】
また、レバー操作による弁体の移動ストロークには限りがあるため、弁体と弁座間の通路面積（即ち、その通路を通過する液体の量）を増加させるのも難しく、これが原因でフルコーン噴射、直射ともに噴射距離を増大させる要求に十分に応えられていなかった。
【００１４】
なお、特許文献２の消化用放水ノズルは、散水や薬剤散布などに利用されるハンドガンタイプの液体噴射装置と違って高圧水が供給されるため、中央噴射口の流入口が十分に開いているときのフルコーン噴射については噴射距離を増大させることが可能と考えられるが、デフレクタに設けた中央噴射口からの直射がなされない。
【００１５】
また、操作筒の操作初期の噴射は直射に近いが、噴射の形状が円筒状であるため、単純形状の孔からの直射に比べて噴射距離が必然的に短くなる。しかも、その噴射の距離は、操作筒の操作量の増加に伴って円筒状噴射がホロコーン（中空円錐）状噴射に変化することから徐々に減少する。
【００１６】
従って、ハンドガンタイプの液体噴射装置でフルコーン噴射と直射の切り替えを可能にし、なおかつ、それぞれの噴射の噴射距離を増大させる要求に応えるのは、特許文献２の技術でも困難である。
【００１７】
そこで、この発明は、フルコーン噴射と直射の切り替えが可能で、フルコーン噴射、直射ともに噴射距離を大きくすることが可能なハンドガンタイプの液体噴射装置を実現して提供することを課題としている。
【課題を解決するための手段】
【００１８】
上記の課題を解決するため、この発明においては、把持部を有する本体と、その本体に取り付けたレバーと、そのレバーを初期位置に戻す復帰スプリングと、本体の先端に装着されるノズルと、前記レバーの操作によって本体内の液体供給路を開閉する開閉弁を備えるハンドガンタイプの液体噴射装置を以下の通りに構成した。
【００１９】
即ち、回転操作用のノブを後端に、本体に螺合させる雄ねじ部を長手途中にそれぞれ有し、先端側が前記開閉弁よりも前記ノズル側の本体内液体供給路に挿入される弁軸を具備させた。
【００２０】
また、前記ノズルを、前記弁軸の先端に設けられる中子と、その中子の先端に設けられる先細テーパ状の弁部を接離させる弁座と、その弁座の前方に配置される、先細テーパ状の流入口とその流入口から前面に貫通するストレート形状の噴孔を備えた噴口ピースと、押え部材を介して前記噴口ピースを前記本体に固定するトップカバーとを組み合わせて構成した。
【００２１】
さらに、前記中子は、後部外周から先端中心に貫通して至る液体通路を中心部に、後部から前記弁部に至る螺旋溝を外周にそれぞれ有するものにした。
【００２２】
そして、前記ノブの回転操作により前記弁部が前記弁座に接触した状態と弁座から所定距離離反した状態の切り替えがなされ、前記弁部が前記弁座に接触した位置で前記螺旋溝が前記流入口に連通し、この状態で前記レバーを操作して前記開閉弁を開弁させたときに前記噴孔からフルコーン状の噴射がなされ、前記弁部が前記弁座から所定距離離反した状態で前記レバーを操作して前記開閉弁を開弁させたときには前記噴孔からの噴射が直射となるものにした。
【００２３】
この液体噴射装置は、前記レバーを引き込み終点に保持する保持の解除が可能なロック機構を具備したものが好ましい。
【００２４】
前記ロック機構は、好ましい形態のひとつとして、前記本体に設ける係止用凹部と、前記レバーに設ける係止爪と、その係止爪を係止方向に付勢して前記レバーの引き込み終点で前記係止用凹部に係止させるばねと、そのばねの力に抗して前記係止爪を前記係止用凹部から外すロック解除カムとで構成したものが挙げられる。
【発明の効果】
【００２５】
この発明の液体噴射装置は、前記弁軸の本体に対するねじ込み量を変化させて弁軸先端の中子を変位させ、その中子の変位によってフルコーン噴射と直射の噴射パターンを切り替える。そのような構造であるので、フルコーン噴射、直射のどちらについてもノズルへの液体供給量、噴口からの液体噴出量を共に多くすることができる。
【００２６】
フルコーン噴射は、外周に螺旋溝の形成された中子先端の弁部を弁座に接触させた状態で行われる。これはレバーの操作量に左右されない噴射となる。そのために、レバー操作に起因した液体の噴出量の変動、噴射角の変動が起こらず、一定の噴射角での噴出量を増加させて噴射距離を伸ばすことができる。
【００２７】
また、中子の変位がレバーの操作に依存せずに行われるので、直射パターンを選択したときには、中子先端の弁部を弁座から十分に引き離して弁座と弁部との間に生じる液体通路の通路面積を大きく確保することができる。
【００２８】
また、弁部を弁座から十分に引き離すことで弁部の外周の通路を通る液体の流れが螺旋溝の影響を受けない流れとなる。そのために、直射も噴出量の変動、噴射角の変動を無くして噴射距離を伸ばすことができる。
【００２９】
なお、前記ロック機構を具備した液体噴射装置は、レバーを一旦引き込み終点に引き込めば、レバーの継続した引き込み操作を行わなくても噴射状態を維持することができる。これにより、装置の操作性向上や噴射の作業性向上が図れる。
【図面の簡単な説明】
【００３０】
【図１】この発明の液体噴射装置の一例を示す断面図である。
【図２】図１の液体噴射装置によるフルコーン噴射状態を示す断面図である。
【図３】図１の液体噴射装置を直射に切り替えた状態の断面図である。
【図４】図１の液体噴射装置による直射状態を示す断面図である。
【図５】図１の液体噴射装置に設けたノズルの弁部を示す斜視図である。
【発明を実施するための形態】
【００３１】
以下、この発明の実施の形態を添付図面の図１〜図５に基づいて説明する。このハンドガンタイプの液体噴射装置１は、把持部２ａを有する本体２と、その本体に支持ピン３を用いて回動自在に取り付けたレバー４と、そのレバーを初期位置に戻す復帰スプリング５と、本体２の先端に装着されるノズル１１と、レバー４によって操作される開閉弁６と、弁軸８と、レバー４を引き込み終点に保持するロック機構９を組み合わせて構成されている。
【００３２】
本体２の内部には、把持部２ａの下部から立ち上がって途中で横向きに屈曲し、ハンドガンの銃身に相当する外筒２ｂの先端に至る液体供給路１０が設けられている。
【００３３】
開閉弁６は、レバー４によって押し込まれる入力軸６ａを備えた弁体６ｂと、その弁体を接離させる弁座６ｃと、弁体６ｂを閉弁方向に付勢して弁座６ｃに押し当てるスプリング６ｄを組み合わせた弁であり、この開閉弁６によって液体供給路１０の上行き部（把持部２ａ内にある供給路）が開閉される。
【００３４】
弁軸８は、後端に回転操作用のノブ７を有している。また、長手途中に本体２の内部に設けられたねじ孔２ｃに螺合させる雄ねじ部８ａを有している。
【００３５】
この弁軸８は、中空軸で構成された先端側部分と後方の一部が液体供給路１０の横行き部（外筒２ｂの内部にある供給路。これは開閉弁６よりもノズル側にある）に挿入されており、ノブ７の回転操作によって前後に進退させることができる。
【００３６】
ロック機構９は、本体２に設けた係止用凹部９ａと、レバー４に設けた係止爪９ｂ、その係止爪を係止方向に付勢してレバー４が引き込み終点まで引き込まれた位置で係止用凹部９ａに係止させるばね９ｃ、そのばねの力に抗して係止爪９ｂを係止用凹部９ａから外すロック解除カム９ｄの各要素によって構成されたたものを例示した。
【００３７】
ロック解除カム９ｄは、レバー４にピンを用いてピボット結合させており、レバー４を操作した手の人差し指などでこのカムを回動させるとそのカム９ｄに係合した係止爪９ｂがばね９ｃの力に抗する方向に押し動かされて係止用凹部９ａに対する係止爪９ｂの係止状態が解かれる。
【００３８】
ロック機構９は、図示したものがロック、ロック解除の操作がし易くて好ましいが、図示の構造のものに限定されない。ロック機構９そのものも必ずしも必要ではない。
【００３９】
ノズル１１は、弁軸８の先端に設けられる中子１２と、その中子の先端に形成された弁部１３を接離させる弁座１４と、その弁座の前方に配置される噴口ピース１５と、その噴口ピースを押え部材１６を介して本体２に固定するトップカバー１７を組み合わせたものが設けられている。
【００４０】
弁座１４には、先細テーパ状の弁孔１４ａが設けられている。また、弁部１３は、弁孔１４ａに対応させて先細テーパ状に形成されている。
【００４１】
中子１２は、後部外周から先端中心に貫通して至る液体通路１２ａを中心部に有し、さらに、後部外周から弁部１３に至る螺旋溝１２ｂ（図５を同時参照）を外周に有する。螺旋溝１２ｂは周方向に等間隔で複数条（図のそれは周方向に等間隔で２条）設けられている。
【００４２】
また、噴口ピース１５は、先細テーパ状の流入口１５ａと、その流入口から前面に貫通するストレート形状の噴孔１５ｂを中心部に有する。
【００４３】
前記螺旋溝１２ｂは、図１の状態、即ち、弁部１３が弁座１４に接した状態で噴口ピース１５の流入口１５ａに連通する溝になっている。
【００４４】
押え部材１６は、噴孔１５ｂよりも大径の先広がり（前側が大径）の孔１６ａを有する
。また、トップカバー１７は、孔１６ａよりも大径の先広がりの孔１７ａを有する。これ等の孔は、フルコーン噴射の噴射角を考慮して先広がり形状にしたものであって、テーパ孔１６ａは噴孔１５ｂの前方に配置され、テーパ孔１７ａはテーパ孔１６の前方に配置される。
【００４５】
なお、例示の液体噴射装置１は、本体２が樹脂で形成されている。そのために、強化が必要と考えられる箇所を金属スリーブで補強し、液体供給路１０の入口に植設された金属スリーブ１８にホース接続用のニップル（図示せず）をねじ込み、本体２の後部上側に植設された金属スリーブ１９，２０に、弁室や弁軸挿入孔を液密に封鎖するＯリングの組み込まれた端栓２３，２４をそれぞれねじ込んでいる。
【００４６】
また、開閉弁の入力軸６ａを挿通した金属スリーブ２１には、入力軸６ａの外周を液封するＯリングとスプリング受けを兼ねたＯリング押え２５を嵌めている。
【００４７】
さらに、本体２のレバー取り付け部に植設した金属スリーブ２２を継手にして樹脂で形成された外筒２ｂの先端側を本体２に連結したものになっているが、本体を樹脂で形成することや、任意箇所に補強用の金属スリーブを植えつけることは必要に応じて行えばよい。
【００４８】
以上の如く構成した液体噴射装置１は、中子先端の弁部１３が弁座１４に接触した図１の状態でレバー４を引くと、図２のように開閉弁６が開弁する。これにより、中子１２の外周の螺旋溝１２ｂを通った渦流と、中子中心の液体通路１２ａを通ったストレート流が
噴口ピースの流入口１５ａで合流し、噴孔１５ｂからフルコーン状に噴射される。
【００４９】
なお、フルコーン噴射の状態は、ロック機構９によるロック（レバー４の引き込み終点における保持）が解かれるまで、もしくは、ロック機構９によるロックがなされている状態でノブ７の回転操作がなされて噴射パターンが直射に切り替えられるまで維持される。ロック機構９によるロックが解除されるとレバー４が原位置に復帰し、開閉弁６が閉弁して噴射が止まる。噴射パターンが直射に切り替えられている場合も、レバー４を引くと噴射が開始され、戻すと噴射が停止する。
【００５０】
噴射パターンの切り替えは、ノブ７の回転操作によってなされる。ノブ７を回転させて弁軸８を図１の位置から図３の位置に引き動かすと、中子１２が後退して弁部１３が弁座１４から所定距離離反する。
【００５１】
そこで、この状態においてレバー４を引いて図４のように開閉弁６を開弁させる。このときには、弁部１３の外周の通路が大きく開くため、その通路を通る液体は螺旋溝１２ｂの影響を受けない流れとなる。
【００５２】
その弁部１３の外周の通路を通った液体と中子中心の液体通路１２ａを通った液体が流入口１５ａで合流し、噴孔１５ｂから直射となって噴射される。なお、ロック機構９でレバー４を引き込み終点に保持した状態で図３の位置から弁軸８を前方に押し動かすと、噴射パターンをフルコーンに変化させることができる。
【００５３】
このように、この発明の液体噴射装置によれば、フルコーン噴射と直射の切り替えがレバー４の操作から切り離されてノブの回転操作によってなされる。そのために、レバー操作に起因した液体の噴出量の変動や噴射角の変動が起こらず、一定の噴射角でのフルコーン噴射の噴出量や直射での噴出量を増加させてフルコーン噴射と直射の噴射距離を共に伸ばすことができる。
【００５４】
背丈の高い樹木や栽培植物、噴射点から離れた位置の樹木や栽培植物などに対する散水や薬剤散布などでは噴射距離の長い液体噴射装置が要望される。この発明の液体噴射装置は、その要望を満たすことができる。
【符号の説明】
【００５５】
１          液体噴射装置
２          本体
２ａ        把持部
２ｂ        外筒
２ｃ        ねじ孔
３          支持ピン
４          レバー
５          復帰スプリング
６          開閉弁
６ａ        入力軸
６ｂ        弁体
６ｃ        弁座
６ｄ        スプリング
７          ノブ
８          弁軸
８ａ        雄ねじ部
９          ロック機構
９ａ        係止用凹部
９ｂ        係止爪
９ｃ        ばね
９ｄ        ロック解除カム
１０        液体供給路
１１        ノズル
１２        中子
１２ａ      液体通路
１２ｂ      螺旋溝
１３        弁部
１４        弁座
１４ａ      弁孔
１５        噴口ピース
１５ａ      流入口
１５ｂ      噴孔
１６        押え部材
１６ａ      テーパ孔
１７        トップカバー
１７ａ      テーパ孔
１８〜２２  金属スリーブ
２３，２４  端栓
２５        Ｏリング押え
【図１】
2016168531.tif 000003
【図２】
2016168531.tif 000004
【図３】
2016168531.tif 000005
【図４】
2016168531.tif 000006
【図５】
2016168531.tif 000007